【事件の表示】
　特願２００７−２３２６６８号「空気調和機」拒絶査定不服審判事件〔平成２１年　３月２６日出願公開、特開２００９−６３２５７号〕について、次のとおり審決する。
【結　論】
　本件審判の請求は、成り立たない。
【理　由】
１．手続の経緯・本願発明
　本願は、平成１９年９月７日の出願であって、その請求項１に係る発明は、平成２５年３月１２日に手続補正された特許請求の範囲の請求項１に記載された次のとおりのものである。（以下「本願発明」という。）
「キャビネットの前面から底面にかけて湾曲面とされ、該湾曲面に吹出口が形成されると共に、キャビネットの一部を構成する導風パネルが前記吹出口を開閉するように設けられ、前記導風パネルは、上下の軸により上下両開き可能とされ、内面が前記吹出口から吹出された吹出空気を遠方に導く湾曲面とされ、さらに、上下の軸を中心にして、異なる方向に回動することにより、上下いずれかの方向に開放可能とされ、
導風パネルの下端が上軸周りに前側に開放した上開き姿勢のとき、吹出口の前方を遮蔽し、前方に向かって吹き出される吹出空気を押さえ込み、下方に導くようにし、また、導風パネルの上端が下軸周りに下開きした下開き姿勢のとき、導風パネルの後端とキャビネットとを接触させて吹出口の下壁とつなげ、導風パネルと吹出口の上壁とによってロングノズルを形成し、前記ロングノズルの上下幅は吹出し方向に対して広がるように形成されており、前記吹出口の上壁が吹出し方向で途中までは斜め下方に向かいその後斜め上方向に向かうように形成されていることを特徴とする空気調和機。」
　
２．引用刊行物
（１）引用刊行物１
　これに対して、当審で平成２５年３月２９日付けで通知した拒絶の理由に引用され、本願出願前に頒布された特開２００６−２９８４号公報（以下「引用刊行物１」という。）には、図１〜４とともに以下の事項が記載されている。
ア．「この空気調和機は図１（Ａ）に示すように、正面側が開放されたベース１と、同ベース１の開放された前面に装着される前面パネル２とで本体を構成し、本体の正面上部に前面吸込口１１を、上面に上面吸込口１２を設け、正面下部に吹出口３を設けている。前面吸込口１１及び上面吸込口１２と、吹出口３とを結ぶ空気通路には、・・・（中略）・・・熱交換器６と、同熱交換器６により熱交換された空気を室内に送出する、クロスフローファンからなる送風ファン７とが設けられている。
　吹出口３には、複数の左右風向板５と、上下風向板４とが設けられており、・・・（中略）・・・上下風向板４により上下方向の向きを偏向するようになっている。
　・・・（中略）・・・
　そして、空気調和機を正面から見た場合にほぼ中央となる位置に、回転軸２２ａを挿通すると共にステッピングモータ２２が固定されたリブ１０ｃがリアガイダ１０から立設されており、この回転軸２２ａには連結板２１の一方の端が固定されている。また、連結板２１の他方の端にはステッピングモータ２３が固定され、このステッピングモータ２３の回転軸２３ａには、上下風向板４の内面から立設されたリブ４ｃが固定されている。
　従って、この上下風向板４は、ステッピングモータ２２とステッピングモータ２３とによる２つの回動軸を備えており、所謂２軸駆動が可能となっている。これは、冷房運転時に駆動するステッピングモータ２２と、暖房運転時に駆動するステッピングモータ２３とをそれぞれ専用に設けることにより、それぞれの運転で最適な上下風向板４の角度制御を行なうためである。」（段落【００２３】〜【００２８】）
イ．「図２（Ａ）及び図２（Ｂ）は左右に吹き出す場合を示している。この場合、上下風向板４を運転停止時と同じ位置、つまり、吹出口３を閉塞する位置になるようにステッピングモータ２２とステッピングモータ２３とを回動させ、冷房や暖房運転を通常通りに行なう。・・・（中略）・・・
　図２（Ｃ）及び図２（Ｄ）は、従来と同じように暖房運転時に、下方に吹き出す場合を示している。この場合、ステッピングモータ２３を回動させ、上下風向板４を下方に向ける。
　図２（Ｅ）及び図２（Ｆ）は、従来と同じように冷房運転時に、前方に吹き出す場合を示している。この場合、ステッピングモータ２２を回動させ、上下風向板４を前方にに向ける。」（段落【００３０】〜【００３４】）
ウ．図１、図２（Ａ）及び図２（Ｂ）には、前面パネル２が正面から下面にかけて湾曲面となっており、前面パネル２の正面下部の湾曲面に吹出口３が設けられ、上下風向板４が吹出口３を閉塞する位置にあって、湾曲する形状により前面パネル２の一部となっている様子が図示される。
エ．図２（Ｃ）及び図２（Ｄ）には、上下風向板４の上端が、回転軸２３ａの場所で吹出口３の上部に位置し、下端が下方に開き、
前方を覆うように配置されることや風のながれの矢印が下方本体側に向くことが図示される。
オ．図２（Ｅ）及び図２（Ｆ）には、上下風向板４の下端が、ステッピングモータ２２の回転軸２２ａの場所で、吹出口３の下部に位置し、上端が前方に開き、
上下風向板４の湾曲する内面が上向きとなって、吹出口３に到る空気通路の下壁であるリアガイダ１０に連続するように配置されることや、
風の流れの矢印が、上下風向板４の湾曲に沿うようにやや下向きからやや上向きに湾曲して前方に向いている様子が図示される。
　また、図１及び図２（Ｆ）を合わせみると、吹出口３に到る空気通路は徐々に上下に広がることが図示され、さらに空気の流れが図示されることを合わせみると、空気通路の上壁が、連続するリアガイダ１０と上下風向板４とに対向して、連続する空気通路を形成している様子が図示される。
　上記ア．及びイ．の記載事項並びにウ．〜オ．の図示内容を総合すると、引用刊行物１には、以下の発明（以下「引用発明」という。）が記載されていると認められる。
「前面パネル２の正面から下面にかけて湾曲面とされ、
　前面パネル２の正面下部の湾曲面に吹出口３が設けられと共に、
　前面パネル２の一部となっている上下風向板４が吹出口３を閉塞したり下端を開いたり上端を開いたりするように設けられ、
　上下風向板４は、下端の回転軸２２ａ及び上端の回転軸２３ａで２軸駆動され、
暖房運転時に、回転軸２３ａをステッピングモータ２３で回動して、上下風向板４の上端を吹出口３の上部に位置させて、下端を下方に開き、上下風向板４を前方を覆うように配置させて、風を下方の本体側に吹き出させ、
冷房運転時に、回転軸２２ａをステッピングモータ２２で回動して、上下風向板４の下端を吹出口３の下部に位置させて、上端を前方に開き、上下風向板４を前方に向けるとともに、上下風向板４の湾曲する内面が上向きとなって、吹出口３に到る空気通路の下壁であるリアガイダ１０に連続するように配置され、風を上下風向板４の湾曲に沿うようにやや下向きからやや上向きに湾曲して前方に吹き出させるものであって、
　吹出口３に到る空気通路は徐々に上下に広がり、空気通路の上壁が、連続するリアガイダ１０と上下風向板４とに対向して、連続する空気通路を形成している
　空気調和機。」
　
（２）引用刊行物２
　同じく引用され、本願出願前に頒布された特開２００７−１２０８９６号公報（以下「引用刊行物２」という。）には、図１〜１１とともに以下の事項が記載されている。
ア．「【請求項１】
　吸込口を開閉するパネルと、吹出口に配置される風向変更羽根とを有し、前記風向変更羽根が変動可能な腕部を介して上下方向の風向を制御する空気調和機の運転方法であって、前記風向変更羽根を湾曲面で構成し、暖房運転モードでは、前記湾曲面で形成される凹面が下向きとなる状態で前記風向変更羽根を用い、冷房運転モードでは、前記凹面が上向きとなる状態で前記風向変更羽根を用いることを特徴とする空気調和機の運転方法。
　・・・（中略）・・・
【請求項６】
　前記冷房運転モードでは、前記風向変更羽根を、空気調和機本体側の前記風向変更羽根端部が前記吹出口の下流側端部の下端に当接する位置に動作させて運転し、前記暖房運転モードでは、前記風向変更羽根を、空気調和機本体側の前記風向変更羽根端部が前記吹出口の下流側端部の上端に当接する位置に動作させて運転することを特徴とする請求項１に記載の空気調和機の運転方法。」（特許請求の範囲）
イ．「本発明の第１の実施の形態は、風向変更羽根を湾曲面で構成し、暖房運転モードでは、湾曲面で形成される凹面が下向きとなる状態で風向変更羽根を用い、冷房運転モードでは、凹面が上向きとなる状態で風向変更羽根を用いるものである。本実施の形態によれば、冷房運転モードでは冷風を部屋の遠方まで運ぶことができ、暖房運転モードでは温風を効率よく足下に導くことができる。
　・・・（中略）・・・
　本発明の第６の実施の形態は、第１の実施の形態において、冷房運転モードでは、風向変更羽根を、空気調和機本体側の風向変更羽根端部が吹出口の下流側端部の下端に当接する位置に動作させて運転し、暖房運転モードでは、風向変更羽根を、空気調和機本体側の風向変更羽根端部が吹出口の下流側端部の上端に当接する位置に風向変更羽根を動作させて運転するものである。本実施の形態によれば、冷房運転モードには冷風を部屋の遠方まで運ぶことができ、暖房運転モードには温風を効率よく足下に導くことができる。」（段落【０００７】）
ウ．「本実施例における水平吹出とは、吹出空気を部屋の遠方まで運ぶ吹出であり、主に冷風吹出（冷房運転モード）に利用する。
　図３は空気調和装置の停止状態を示し、図６は水平吹出状態を示す。
・・・（中略）・・・
　そして、図６に示すように、中羽根駆動機構４１の動作によって中羽根４０は、その上端部がパネル２０と当接する位置まで動作する。一方、羽根用モータ３５によって風向変更羽根３０が回動し、空気調和機１０本体側の風向変更羽根３０端部が吹出口６の下流側端部６ａの下端に当接する。
　図６に示す状態で、水平方向あるいは斜め上方への吹出が行われる。
　吹出口６から吹き出される空気は、風向変更羽根３０によって水平方向に導かれるとともに、風向変更羽根３０の下流側端部が上方へ湾曲しているため、斜め下方向へは流れないので、効果的に部屋の遠方まで空気を送ることができる。」（段落【００１１】及び【００１２】）
　
（３）引用刊行物３
　同じく引用され、本願出願前に頒布された特開２００７−１８７４０５号公報（以下「引用刊行物３」という。）には、図１〜６とともに以下の事項が記載されている。
ア．「冷房運転モードにおいては、前記風向変更羽根２の凹面側が略上向きとなる状態で用いるものとする。
　次に動作について説明する。上下風向変更羽根２の凹面側が上向きに設定されると、吹出しの風は、吹出口１下側の壁と羽根下面２ａとの間に副流Ｂが、吹出口１上側の壁と羽根上面２ｂの間に主流Ａが形成される。
　冷房運転を行う場合、冷却された吹出風が周囲の温かい空気と比較して比重が大きいため、住環境特性を向上させるために、出来るだけ上向きに風を送る必要がある。
　このような図１の場合には、吹出風の温度と周辺温度の差や、主流Ａ、副流Ｂの気流の乱れによる上下風向変更羽根２表面あるいは吹出口１周辺へに結露が発生してしまう。また、さらに吹出風を全て上向きあるいは下向きへと仕向け、かつ気流の乱れを抑制するために、図２に示されるように、上下風向変更羽根２の端部を吹出口１の下端または上端と連結させるような場合には、冷たい吹出風と周囲の温かい空気との間に上下風向変更羽根２がはさみこまれるように配置される為、特に外郭表面に結露１５が発生してしまう。」（段落【００１３】〜【００１６】）
イ．「冷却された吹出風（約１６℃）が直接触れる上面２ｂを通じて室温に直接触れる下面２ａが冷却され、結露が発生してしまうが、前記のように断熱材８を貼り付けることによって結露の発生を抑制することができる。」（段落【００２２】）
　
（４）引用刊行物４
　同じく引用され、本願出願前に頒布された特許第３７６７３７３号公報（以下「引用刊行物４」という。）には、空気調和機に関して、図１〜１１とともに以下の事項が記載されている。
ア．「図３において、１３は吹き出し口４に連続した筐体内の吹き出し通路２の前記吹き出し口部分に形成した上向き空気流れ促進流路で、吹き出し口４に連続した吹き出し通路２の上部内面を吹き出し口４へ近づくほど上向きに傾斜させた形状にしている。
　上記実施の形態において、吹き出し口４からの空気流れを上向き略水平方向に変更するため、実施の形態１で説明したように上下風向変更板１０を吹き出し口４の下部側に位置させると、上向き空気流れ促進流路１３に空気流れが案内されて広がり確実に上向き方向へ案内でき、かつ前記空気の上向き成分がより大きくなるため、より遠方まで空気を到達させることができる。また、吹き出し口４の開口面積が全体として大きくなるため、風量性能を向上できる。」（段落【００３０】及び【００３１】）
イ．図３や８には、吹き出し口４に連続した筐体内の吹き出し通路２が、斜め下向きに上下幅を徐々に広げるように設けられ、その途中から上部内面を吹き出し口４へ近づくほど上向きに傾斜させた形状の上向き空気流れ促進流路１３が設けられる様子が図示される。
　
（５）引用刊行物５
　同じく引用され、本願出願前に頒布された特開２００５−１６４０６５号公報（以下「引用刊行物５」という。）には、図１〜４３とともに以下の事項が記載されている。
ア．「上記構成の空気調和機において冷房運転を開始すると、風向可変部１１３ａ、１１３ｂ、１１３ｃは図１６に示すように配置される。・・・（中略）・・・
　そして、調和空気を矢印Ａに示すように前方下方に送出する。これにより、暖房運転時の前方下方吹出しよりも上方に調和空気を送出し、温度の低い調和空気が自重により降下して室内に拡散される。
　・・・（中略）・・・
　冷房運転を開始して一定時間が経過した場合・・・（中略）・・・、図１７に示すように風向可変部１１３ａ、１１３ｂ、１１３ｃが配置される。・・・（中略）・・・
　これにより、調和空気は吹出口５から矢印Ｅに示すように前方上方に例えば風速約５〜６ｍ／秒で送出される。室内に送出された調和空気は図１８に示すように、居室Ｒの天井に到達する。・・・（中略）・・・
　更に、図１９に示すように、風向可変部１１３ａの向きを水平にすると、矢印Ｄに示すように調和空気を吹出口５から水平方向に送出することができる。」（段落【０１０１】〜【０１０７】）
イ．図１６，１７，１９や図２７，２８，２９には、吹出口５に連通する送風経路６の上下幅が、徐々に広がると共に、送風経路６の上壁が途中まで斜め下方であり、その後斜め上方に向かう形状であること、そして、送風経路６や風向可変部１１３、１１４により、空気の流れが徐々に広がる様子が図示される。
　
（６）引用刊行物６
　同じく引用され、本願出願前に頒布された特開２００４−１０１１２８号公報（以下「引用刊行物５」という。）には、図１〜１７とともに以下の事項が記載されている。
ア．「第２開口部５ｂは送風経路６から上方に傾斜して分岐する分岐通路１３により送風経路６と連通している。送風経路６及び分岐通路１３により空気が流通する空気流通経路が構成されている。」（段落【００２９】
イ．「図４に示すように、導風板１４が回動して第２開口部５ｂが開放される。
　同時に、横ルーバ１１ａ、１１ｂが回動して第１開口部５ａが上方に向けて少しだけ開いた状態に設定される。横ルーバ１１ａ、１１ｂにより第１開口部５ａを少しだけ開放することによって、第１開口部５ａから吹き出される空気がコアンダ効果によって横ルーバ１１ａ、１１ｂに沿って上方に導かれる。
　これにより、吸込口４ａ、４ｃから取り込まれた空気が送風経路６及び分岐通路１３を流通して第２開口部５ｂ及び横ルーバ１１ａ、１１ｂの隙間から上方に送出される。・・・（中略）・・・
　分岐通路１３の上壁面１３ａは前方へ向かって上方に傾斜する傾斜面から成っているため、分岐通路１３に導かれた空気はスムーズに第２開口部５ｂに送られる。このため、上方に送出される空気の圧力損失を低減することができ、風量の減少を防止することができる。」（段落【００４３】〜【００４６】）
ウ．図４には、送風経路６の上下幅が、徐々に広がると共に、送風経路６の上壁が途中まで斜め下方であり、その後分岐通路１３により上壁が斜め上方へ向かう様子が図示される。
　
３．対比・判断
　本願発明と引用発明とを対比すると、後者の「前面パネル２」は、その機能・構成からみて、前者の「キャビネット」に相当し、以下同様に、後者の「下面」は前者の「底面」に、後者の「上下風向板４」は前者の「導風パネル」に、後者の「２軸駆動」する「下端の回転軸２２ａ及び上端の回転軸２３ａ」は前者の「上下の軸」又は「下軸」及び「上軸」に、後者の「前面パネル２の正面下部の湾曲面に吹出口３が設けられ」ることは前者の「湾曲面に吹出口が形成される」ことに、後者の「前面パネル２の一部となっている上下風向板４」は前者の「キャビネットの一部を構成する導風パネル」に、後者の「上下風向板４が吹出口３を閉塞したり下端を開いたり上端を開いたりするように設けられ」ることは前者の「導風パネルが前記吹出口を開閉するように設けられ」ることに、後者の「上下風向板４」が「湾曲する内面」を有することは前者の「導風パネル」の「内面が」「湾曲面とされ」ることにそれぞれ相当する。
　また、後者の「上下風向板４は、下端の回転軸２２ａ及び上端の回転軸２３ａで２軸駆動され」、「暖房運転時に、回転軸２３ａをステッピングモータ２３で回動して、上下風向板４の上端を吹出口３の上部に位置させて、下端を下方に開き、」「冷房運転時に、回転軸２２ａをステッピングモータ２２で回動して、上下風向板４の下端を吹出口３の下部に位置させて、上端を前方に開」くことは、前者の「導風パネルは、上下の軸により上下両開き可能とされ」ること及び「上下の軸を中心にして、異なる方向に回動することにより、上下いずれかの方向に開放可能と」されることに相当する。
　後者の「暖房運転時に、回転軸２３ａをステッピングモータ２３で回動して、上下風向板４の上端を吹出口３の上部に位置させて、下端を下方に開き、上下風向板４を前方を覆うように配置させて、風を下方の本体側に吹き出させ」ることは、前者の「導風パネルの下端が上軸周りに前側に開放した上開き姿勢のとき、吹出口の前方を遮蔽し、前方に向かって吹き出される吹出空気を押さえ込み、下方に導くように」することに相当する。
　後者は「連続するリアガイダ１０と上下風向板４とに対向して、連続する空気通路を形成している」から、「空気通路の上壁」とこれに対向する「上下風向板４」とによる空気通路が設けられているといえ、さらに、「上下風向板４」が「吹出口３を閉塞」する「前面パネル２の一部となってい」ること、「上下風向板４」が「空気通路の上壁」と「空気通路を形成し」ていること、その「空気通路」は空気通路の上壁とリアガイダ１０による「吹出口３に到る空気通路」に連続したものであることから、後者の「空気通路の上壁」とこれに対向する「上下風向板４」とによる空気通路が設けられることは、前者の「導風パネルと吹出口の上壁とによってロングノズルを形成し」ていることに相当する。
　そして、後者の「冷房運転時に、回転軸２２ａをステッピングモータ２２で回動して、上下風向板４の下端を吹出口３の下部に位置させて、上端を前方に開き、上下風向板４を前方に向けるとともに、上下風向板４の湾曲する内面が上向きとなって、」「空気通路の上壁が、連続するリアガイダ１０と上下風向板４とに対向して、連続する空気通路を形成し」、「風を上下風向板４の湾曲に沿うようにやや下向きからやや上向きに湾曲して前方に吹き出させる」ことは、前者の「導風パネルの上端が下軸周りに下開きした下開き姿勢のとき、」「導風パネルと吹出口の上壁とによってロングノズルを形成」することに相当する。
　そうすると、両者は、
「キャビネットの前面から底面にかけて湾曲面とされ、該湾曲面に吹出口が形成されると共に、キャビネットの一部を構成する導風パネルが前記吹出口を開閉するように設けられ、前記導風パネルは、上下の軸により上下両開き可能とされ、内面が湾曲面とされ、さらに、上下の軸を中心にして、異なる方向に回動することにより、上下いずれかの方向に開放可能とされ、
導風パネルの下端が上軸周りに前側に開放した上開き姿勢のとき、吹出口の前方を遮蔽し、前方に向かって吹き出される吹出空気を押さえ込み、下方に導くようにし、また、導風パネルの上端が下軸周りに下開きした下開き姿勢のとき、導風パネルと吹出口の上壁とによってロングノズルを形成されている空気調和機。」
である点で一致し、以下の点で相違しているものと認められる。
　
相違点Ａ：導風パネルの内面に関して、本願発明が「吹出口から吹出された吹出空気を遠方に導く湾曲面」とされているのに対して、引用発明は「湾曲する」ものの、吹出空気を遠方に導くものかどうか不明である点。
相違点Ｂ：下開き姿勢のとき、本願発明が「導風パネルの後端とキャビネットとを接触させて吹出口の下壁とつなげ」、「前記ロングノズルの上下幅は吹出し方向に対して広がるように形成されており」、「吹出口の上壁が吹出し方向で途中までは斜め下方に向かいその後斜め上方向に向かうように形成されている」のに対して、引用発明は「上下風向板４の湾曲する内面が上向きとなって、吹出口３に到る空気通路の下壁であるリアガイダ１０に連続するように配置され、風を上下風向板４の湾曲に沿うようにやや下向きからやや上向きに湾曲して前方に吹き出させるものであって、吹出口３に到る空気通路は徐々に上下に広がり、空気通路の上壁が、連続するリアガイダ１０と上下風向板４とに対向して、連続する空気通路を形成している」ものの上記のようなものではない点。
　
　そこで、上記相違点について検討する。
（１）相違点Ａについて
　引用発明は、「上下風向板４の湾曲する内面が上向きとなって、吹出口３に到る空気通路の下壁であるリアガイダ１０に連続するように配置され、風を上下風向板４の湾曲に沿うようにやや下向きからやや上向きに湾曲して前方に吹き出させるものであって」、本願発明のロングノズルを形成する、湾曲面である導風パネルの内面と同様の形状・配置を有し、湾曲に沿うように風を前方に吹き出させる作用についても同様である。
　また、引用刊行物２にも、冷房運転モードでは、凹面が上向きとなる状態で、引用発明の上下風向板４に当たる風向変更羽根を用いることで、冷風を部屋の遠方まで運ぶことができることが記載されている。
　そうすると、引用発明の上下風向板４の湾曲する内面も吹出空気を遠方に導くものといえ、相違点Ａについて、本願発明と引用発明とは、実質的に相違していない。
　
（２）相違点Ｂについて
ア．本願発明の「導風パネルの後端とキャビネットとを接触させて吹出口の下壁とつなげ」ることについて
　引用刊行物２には、冷房運転モードで、吹出口に配置される風向変更羽根を凹面が上向きとなる状態で用いるものにおいて、空気調和機本体側の風向変更羽根端部が吹出口の下流側端部の下端に当接する位置に動作させることで冷房運転モードには冷風を部屋の遠方まで運ぶことができることが記載されている。
　引用刊行物３にも、吹出風を全て上向きあるいは下向きへと仕向け、かつ気流の乱れを抑制するために、上下風向変更羽根２の端部を吹出口１の下端または上端と連結させることが記載されている。
　そして、引用発明は「冷房運転時に」「上下風向板４の下端を吹出口３の下部に位置させて」「吹出口３に到る空気通路の下壁であるリアガイダ１０に連続するように配置」し、「連続する空気通路を形成」するものであるから、引用刊行物２や３に記載されるように、気流の乱れを抑制してより遠く風をながすべく、引用発明のリアガイダ１０に連続するように配置された上下風向板４の下端を吹出口３の下部に接触させることは当業者が容易になし得たことである。
　さらにいえば、引用刊行物３には上下風向変更羽根の表面及び吹出口の周辺に結露が発生していたものが、上下風向変更羽根２の端部を吹出口１の下端または上端と連結させるような場合には、上下風向変更羽根２の外郭表面に結露１５が発生することや断熱材８を貼り付けることでこの結露の発生をも抑制することができる旨記載されていて、本願発明のキャビネットの一部である吹出口の周辺の結露が抑制されることが示唆されているといえるから、本願発明のキャビネットの底面での結露の発生が防止できるという効果も、当業者が容易に想到できたものである。
　
イ．本願発明の「ロングノズルの上下幅は吹出し方向に対して広がるように形成されており」、「吹出口の上壁が吹出し方向で途中までは斜め下方に向かいその後斜め上方向に向かうように形成されている」ことについて
　引用刊行物４には、空気調和機において、確実に上向き方向へ案内し、かつ空気の上向き成分をより大きくして、より遠方まで空気を到達させるために、また、吹き出し口４の開口面積が全体として大きくして、風量性能を向上するために、斜め下向きに上下幅を徐々に広げるように設けられた吹き出し通路２の吹き出し口部分に、吹き出し通路２の途中から上部内面を吹き出し口４へ近づくほど上向きに傾斜させた形状の上向き空気流れ促進流路１３を設けることが記載されている。
　そうすると、引用発明の空気調和機において、確実に上向き方向へ案内し、かつ空気の上向き成分をより大きくして、より遠方まで空気を到達させるために、引用刊行物４に記載される上向き空気流れ促進流路１３を採用して、吹出口３に到る空気通路の上壁を途中までは斜め下向きとしその後斜め上方とすることは当業者が容易になし得たことである。
　
　また、引用発明は「吹出口３に到る空気通路は徐々に上下に広が」るものであり、これに続く「空気通路の上壁」とこれに対向する「上下風向板４」とによる空気通路は、「吹出口３に到る空気通路」に連続するものであるから、上下風向板４においても、吹出口３に到る空気通路とともに風路を形成し、吹出口３に到る空気通路からの風の流れを滑らかに流すものであるといえる。上記ア．で摘示した引用刊行物２及び３の記載をみても、滑らかに流すようなすことが通常であるといえる。そして引用刊行物１の図２（Ｆ）を参酌しても、広がっているとまではいえないものの、吹出口３に到る空気通路とほぼ同様の上下幅の空気通路を、空気通路の上壁と上下風向板４が形成している。
　一方、引用刊行物４の上向き空気流れ促進流路１３は、吹き出し口４の開口面積が全体として大きくして、風量性能を向上するためのものでもあることから、吹出口３に到る空気通路だけでなく、これに続く空気通路の上壁と上下風向板４と形成される空気通路についても、開口面積が全体として大きくして、風量性能を向上するようなすべく、本願発明のロングノズルにあたる、空気通路の上壁と上下風向板４と形成される空気通路の上下幅を徐々に大きくすることも当業者が容易になし得たことといえる。
　
　引用刊行物５及び６にも、送風経路６の上壁が途中まで斜め下方であり、その後斜め上方に向かう形状のものが示されると共に送風経路６や風向可変部１１３、１１４により、空気の流れが徐々に広がるようなすことも示されており、上記したように、吹出口３に到る空気通路の上壁を途中までは斜め下向きとしその後斜め上方とすることや空気通路の上壁と上下風向板４による空気通路についても徐々に広がるようなすことが当業者にとって格別困難であるとはいえない。
　
　また、ア．及びイ．を合わせ考えても、相違点Ｂに係る効果が格別であるとはいえない。
　
４．むすび
　したがって、本願発明は、引用発明及び引用刊行物２〜６に記載された事項に基づいて、当業者が容易に発明をすることができたものであるから、特許法第２９条第２項の規定により特許を受けることができない。そうすると、本願の他の請求項に係る発明について検討するまでもなく、本願は拒絶されるべきものである。
　よって、結論のとおり審決する。